(57)【要約】【課題】装置を大型化することなく超広角まで調整可能なストロボ装置を提供する。【解決手段】光源２と、該光源２からの閃光を照射対象に向けて反射するための反射傘３と、を備え、光源２と反射傘３の反射面間の光軸上の相対距離を調整することにより、光源２からの前記反射面を介した反射光の照射対象に対する照射角度を調整可能としたストロボ装置において、光源２の軸芯に直交する方向の反射傘３の反射面の断面形状が略放物線形状に形成され、かつ、反射傘３が長手方向の中央部で左右の分割傘５，６に分割されると共に、該分割傘５，６の光源２の軸方向における外側端部が、内側端部のいずれか一点を支点に光源２から離間する方向に変位可能に構成される。【選択図】  図１
2007272028.tif 000002
【特許請求の範囲】
【請求項１】
軸状の光源と、該光源からの光を照射対象に向けて反射するための反射傘と、を備え、前記光源と前記反射傘の反射面間の光軸上の相対距離を調整することにより、前記光源からの前記反射面を介した反射光の前記照射対象に対する照射角度を調整可能としたストロボ装置において、
前記光源の軸芯に直交する方向の前記反射傘の反射面の断面形状が略放物線形状に形成され、かつ、前記反射傘が前記光源の軸方向における中央部で左右の分割傘に分割されると共に、前記光源の軸方向における該分割傘の外側端部が、内側端部のいずれか一点を支点に前記光源から離間する方向に変位可能に構成されることを特徴とするストロボ装置。
【請求項２】
前記左右の分割傘の前記光源における軸方向の外側端部が、前記光源から離間する方向に変位したときに前記両分割傘の前記光源の軸方向における内側端部間に生じる隙間を閉塞するための補助反射板を設けたことを特徴とする請求項１に記載のストロボ装置。
【請求項３】
前記分割傘の外側端部には、前記分割傘の側部開口を閉塞するように側方反射板が一体化されることを特徴とする請求項１又は２に記載のストロボ装置。
【請求項４】
前記分割傘の側部開口を閉塞するように配設される側方反射板は、装置本体側に固定されることを特徴とする請求項１又は２に記載のストロボ装置。
【発明の詳細な説明】
【技術分野】
【０００１】
本発明は、例えば、ズーム機能を備えたカメラ等の撮像装置に設けられるストロボ装置に係り、特に、照射対象に対する照射角度の調整幅を広く得られるようにしたストロボ装置に関する。
【背景技術】
【０００２】
ズーム機能を備えたカメラ等には、被写体に対する照射角度を可変に調整できるストロボ装置が搭載されることが多い。例えば、テレ時には光源と反射傘の反射面とを接近させて照射角度を絞り込み、ワイド時には光源と反射面を離間させて照射角度を拡大するように、反射面と光源の相対位置を調整することによって照射角度を可変に調整できるようにしたストロボ装置が提案されている（例えば、特許文献１参照）。
【０００３】
また、反射傘に対する光源の相対位置と共に、フレネルレンズの位置をも可変に調整できるようにしたストロボ装置も提案されている（例えば、特許文献２参照）。このストロボ装置は、ワイド時にはフレネルレンズを反射傘前面の開口部に配置して光源を反射傘から離間させ、テレ時には光源を反射傘に接近させると共に、フレネルレンズを開口部から前方に（照射対象側に）移動させるように構成され、照射角を決定する要素が多くなるため照射効率を向上させるための設計の自由度が向上するとされている。
【特許文献１】特開昭５５−１２９３２６号公報
【特許文献２】特開平２−２９１５３８号公報
【発明の開示】
【発明が解決しようとする課題】
【０００４】
しかし、従来例の前者では、反射傘の反射面の形状が変化しないため、反射傘と光源の相対位置を変化させるだけでは、光の反射角の変化が少なく照射角度の調整幅を広く得られないという問題があった。また、後者では、テレ時にフレネルレンズを開口部から前方に移動させるためのスペースが必要とされるため装置全体が嵩高くなるという問題があった。また、いずれの従来例においても、照射角度の調整幅をさらに広くするためには、フレネルレンズの前面にワイドパネル等のオプションパネルを別途装着する必要があるが、このようなオプションパネルの設置はユーザーが手作業で行わなければならず、装着忘れやオプションパネルの紛失、破損等の心配があった。
【０００５】
本発明は、このような実情に鑑みてなされ、装置を大型化することなく、ワイドパネル等のオプションパネルが不要で、超広角まで調整可能なストロボ装置を提供することを目的とする。
【課題を解決するための手段】
【０００６】
（１）本発明のストロボ装置は、軸状の光源と、該光源からの光を照射対象に向けて反射するための反射傘と、を備え、前記光源と前記反射傘の反射面間の光軸上の相対距離を調整することにより、前記光源からの前記反射面を介した反射光の前記照射対象に対する照射角度を調整可能としたストロボ装置において、
前記光源の軸芯に直交する方向の前記反射傘の反射面の断面形状が略放物線形状に形成され、かつ、前記反射傘が前記光源の軸方向における中央部で左右の分割傘に分割されると共に、前記光源の軸方向における該分割傘の外側端部が、内側端部のいずれか一点を支点に前記光源から離間する方向に変位可能に構成されることを特徴とする。
【０００７】
このような構成によれば、反射傘の反射面が光源の軸方向に直線状となるように左右の分割傘を一致させた状態にて、光源と反射傘の反射面間の光軸上の相対距離を調整することにより、従来と同様に、照射対象に対する光源からの反射面を介した反射光の照射角度をテレからワイドまで調整することができる。そして、超広角領域の撮影では、光源を反射面から最も離間させた位置に移動させた状態にて、左右の分割傘の光源の軸方向の外側端部を、内側端部のいずれか一点を支点に光源から最も離間する位置に変位させることによって、照射対象に対する照射角度を超広角に拡張することができる。このような構成では、分割された左右の分割傘の光源の軸方向の外側端部（反射傘の両側）を内側端部のいずれか一点を支点に変位させるだけであるから、そのために、特に、スペースを必要とすることがなく装置を大型化しなくてもよく、また、ワイドパネル等のオプションパネルなしで照射角度を超広角まで対応できるので、オプションパネルの装着忘れ等の弊害がなくなる。
（２）前記左右の分割傘の前記光源の軸方向における外側端部が、前記光源から離間する方向に変位したときに前記両分割傘の前記光源の軸方向における内側端部間に生じる隙間を閉塞するための補助反射板を設けてもよい。このようにすれば、照射角度を超広角に拡張したときの両分割傘の間に生じる間隙を補助反射板で埋めることで反射効率（照射効率）の低下を防ぐことができる。
（３）前記分割傘の外側端部には、前記分割傘の側部開口を閉塞するように側方反射板が一体化されてもよい。このようにすれば、左右の分割傘と共に側方反射板が一体的に変位操作されるので、照射角度の拡がりが側方反射板で制約されることがなくなり照射角度の拡がりを確保しやすくなる。
（４）前記分割傘の側部開口を閉塞するように配設される側方反射板は、装置本体側に固定されてもよい。このようにすれば、超広角領域の撮影時に変位させる部材重量が軽減されるので、分割傘を変位させるための駆動系の省出力化が可能となり、また、分割傘を支持するための構成の必要強度を低減化することもできる。
【発明の効果】
【０００８】
本発明のストロボ装置は、反射傘が光源の軸方向の中央部で左右に分割されると共に、該分割傘の光源の軸方向の外側端部が、内側端部のいずれか一点を支点に光源から離間する方向に変位可能に構成されるので、超広角領域の撮影では、光源を反射面から最も離間させた位置に移動させた状態にて、分割された左右の分割傘の光源の軸方向の外側端部を、内側端部のいずれか一点を支点に光源から離間する方向に変位させることによって、照射対象に対する照射角度を超広角に拡張することができる。また、分割された左右の分割傘の光源の軸方向の外側端部を内側端部のいずれか一点を支点に変位させるだけであるから、そのために、特に、スペースを必要とすることがなく装置を大型化しなくてもよく、また、ワイドパネル等のオプションパネルなしで照射角度を超広角まで対応できるので、オプションパネルの装着忘れ等の弊害がなくなる。
【発明を実施するための最良の形態】
【０００９】
以下に、本発明の実施の形態に係るストロボ装置について詳細に説明する。なお以下において照射角の表示は、３５ｍｍフィルムカメラ換算の焦点距離を示す。
〔実施の形態１〕
図１は照射角２４ｍｍ（３５ｍｍフィルム換算焦点距離）付近（広角）のストロボ装置の全体斜視図、図２（ａ）は同要部斜視図、（ｂ）は同要部底面図、（ｃ）は同別の角度から見た要部斜視図、図３は補助反射板を示す要部分解斜視図、図４は照射角１７ｍｍ付近（超広角）で分割傘が左右に開いた状態の全体斜視図、図５（ａ）は同要部斜視図、（ｂ）は同要部側面図、図６（ａ）は照射角テレ１０５ｍｍ付近の状態を示す全体斜視図、（ｂ）は同要部側面図である。これらの図にて、符号１は、装置本体に固定されるケーシングで、その矩形断面状に形成される前部開口には図示省略のフレネルレンズが嵌装される。２は閃光を発するキセノン（Ｘｅ）放電管等からなる軸状の光源、３は、光源２からの閃光を照射対象に向けて反射するための反射傘で、その反射面４の光源２の軸芯に直交する方向の断面形状が略放物線形状に形成され、この反射傘３は長手方向（光源の軸方向）の中央部で左右の分割傘５，６に分割され、傘ケーシング３Ａに収納されている。
【００１０】
その両分割傘５，６の外側端部には、各分割傘５，６の側部開口を閉塞するように側方反射板７，８が一体化されており、この両分割傘５，６の長手方向の外側端部（側方反射板７，８）が、内側端部のいずれか一点を支点に光源２から離間する方向に変位可能に構成されている。そして、両分割傘５，６の長手方向の外側端部が、内側端部のいずれか一点を支点に光源２から離間する方向（後方）に変位したときに両分割傘５，６の長手方向の内側端部間に生じる隙間を閉塞するための補助反射板９（図３参照）が両分割傘５，６の中央背面側に設けられている。
【００１１】
このような構成によれば、反射傘３の反射面４が長手方向に直線状となるように左右の分割傘５，６を一致させた状態にて、光源２と反射面４の間の光軸上の相対距離を調整することにより、従来と同様に、照射対象に対する光源２からの反射面４を介した反射光の照射角度をテレ（図６（ａ）（ｂ）参照）からワイド（図１，図２（ａ）〜（ｃ）参照）まで、焦点距離換算で照射角１０５ｍｍ〜２４ｍｍ程度の範囲で調整することができる。そして、照射角２４ｍｍ〜１７ｍｍ程度までの超広角領域の撮影では、図４及び図５（ａ）（ｂ）に示すように、光源２を反射面４から最も離間させた位置に移動させた状態にて、左右の分割傘５，６を開くことによって、即ち、両分割傘５，６の長手方向の外側端部を内側端部のいずれか一点を支点に光源２から離間する方向（後方）の位置に変位させることによって照射対象に対する照射角度を超広角に拡張できるように構成している。このとき、側方反射板７，８も左右の分割傘５，６と共に左右に拡がるので、照射角度の拡張動作は何ら妨げられることはない。また、このような構成では、分割された左右の分割傘５，６の長手方向の外側端部（反射傘の両側）を内側端部のいずれか一点を支点に後方に変位させるだけであるから、そのために、特に、スペースを必要とすることがなく装置を大型化しなくてもよく、装置本体の外部に移動部材を設けないため、トラブルの発生を少なくすることもできる。
【００１２】
次いで、光源２及び分割傘５，６（及び側方反射板７，８）の駆動機構とその動作について説明すると（図２（ａ）〜（ｃ）参照）、符号１０，１１は光源２の両側を保持する揺動自在な光源保持部材で、その下部が装置本体に枢支されている。１２，１３は分割傘５，６及び側方反射板７，８を保持して前後方向に移動自在な分割傘保持部材で、装置本体側に前後方向に支持された２本のガイドレール１４，１５に沿って前後方向に案内される。この分割傘５，６の内側上部と下部には、それぞれ連結アーム５ａ，５ｂ、６ａ，６ｂが設けられ、該連結アーム同士５ａと６ａ、及び，５ｂと６ｂがそれぞれピン軸ｐ，ｐによって枢結され、上部の両連結アーム同士５ａと６ａ間には、引張スプリングｓが掛張され、両分割傘５，６を閉じ方向（反射面４が長手方向に直線状となるよう）に付勢している。
【００１３】
符号１６は、光源２及び分割傘５，６からなる発光部を駆動させるためのリードスクリュー付きモータユニット、１７は発光部駆動用カム兼反射傘左右駆動用カムフォロワーで、この発光部駆動用カム兼反射傘左右駆動用カムフォロワー１７に形成された斜めの案内溝１８には、左右の分割傘５，６を保持する分割傘保持部材１２，１３の側部に突設された摺動子が遊嵌され、その案内溝１８の上縁に形成されたガイドレール１９には一方の光源保持部材１０に設けられた摺動子が移動自在に摺接している。２０は左右反射傘駆動用カムで、発光部駆動用カム兼反射傘左右駆動用カムフォロワー１７の下部に下向きに突設された接触子１７ａ，１７ａに摺接するカム面２０ａ，２０ａを有し、その中間部に形成された長孔２０ｂ，２０ｂには支軸２２，２２が貫挿され、その前部に形成された係止部２０ｃ，２０ｃが左右の分割傘５，６の連結アーム５ｂと６ｂに係止している。そして、この左右反射傘駆動用カム２０がカム付勢用引っ張りバネ２３によって、左右の分割傘５，６を閉じる方向（前方）に付勢されている。
【００１４】
このような構成により、照射角２４ｍｍ〜１０５ｍｍ程度の範囲では、従来と同様に、モータユニット１６で発光部駆動用カム兼反射傘左右駆動用カムフォロワー１７を駆動することで、左右の反射傘５，６及び光源２を光軸方向に駆動させて照射角度を調整することができる（このとき、左右の反射傘５，６は、その反射面４が長手方向に直線状となるように一致した状態が維持されて相対変位しない）。次いで、照射角が２４ｍｍ〜１７ｍｍになると、発光部駆動用カム兼反射傘左右駆動用カムフォロワー１７がモータユニット１６によって下方に移動され、その接触子１７ａ，１７ａに摺接するカム面２０ａ，２０ａ（図２（ｃ）参照）のカム作用によって左右反射傘駆動用カム２０がカム付勢用引っ張りバネ２３の付勢力に抗して後退移動し、これに伴い、左右の分割傘５，６がピン軸ｐ，ｐを中心としてその両外側端部が後退するように開くこことなる（図４及び図５（ａ）（ｂ）参照）。即ち、左右の分割傘５，６の長手方向の外側端部が、内側端部のいずれか一点を支点に光源２から離間する方向に変位する。これにより、照射角が超広角に拡張される。このとき、両分割傘５，６の長手方向の内側端部間に生じる隙間は、補助反射板９（図３参照）によって閉塞される。そして、モータユニット１６の回転方向を逆転させると、発光部駆動用カム兼反射傘左右駆動用カムフォロワー１７が上方に移動して、左右反射傘駆動用カム２０がカム付勢用引っ張りバネ２３の付勢力によって元の位置に復帰し左右の分割傘５，６が閉じられる。このように、装置の外部に可動部材を突出させることなく照射角度をテレから超広角ワイドまで調整できるのでコンパクト化が達成され、かつ、部材が破損しにくくなるため耐久性が要求されるストロボ装置に好適となる。なお、本発明は、発光部の駆動機構について特定するものではなく、上記構成の他、適宜な構成が選択、設計されてよい。
〔実施の形態２〕
図７は照射角２４ｍｍ付近（広角）のストロボ装置の全体斜視図、図８は照射角１７ｍｍ付近（超広角）のストロボ装置の全体斜視図である。なお、前実施の形態と同一乃至は同等部材については同一符号を付して説明を省略する。これらの図に示すように、本実施の形態では、分割傘５，６の側部開口を閉塞するように配設される側方反射板７，８が、傘ケーシング（装置本体側）３Ａに固定されており、分割傘５，６のみが光源２と共に駆動される点が、前実施の形態と異なる。このようにすれば、超広角領域の撮影時に変位（駆動）させる部材が分割傘５，６のみになるため、変位させる部材の重量が軽減されるので、駆動系の出力が小さくて済み、また、分割傘５，６を支持するための構成の必要強度を低減化することもできる。なお、本発明は、発光部の駆動機構について特定するものではなく、上記構成の他、適宜な構成が選択、設計されてよい。
【産業上の利用可能性】
【００１５】
本発明のストロボ装置は、大型化することなく照射角度の調整幅を広く得られるのでズーム機能を備え撮像装置に装着するストロボ装置の分野で利用することができる。
【００１６】
本発明のストロボ装置は、装置本体の外部に移動部材を設けないため、トラブルの発生を少なくすることができ耐久性が要求されるストロボ装置に好適となる。
【図面の簡単な説明】
【００１７】
【図１】本発明の実施の形態に係る照射角２４ｍｍ付近（広角）のストロボ装置の全体斜視図
【図２】（ａ）は同ストロボ装置の要部斜視図、（ｂ）は同要部底面図、（ｃ）は同別の角度から見た要部斜視図
【図３】同補助反射板を示すストロボ装置の要部分解斜視図
【図４】同照射角１７ｍｍ付近（超広角）で分割傘が左右に開いた状態のストロボ装置の全体斜視図
【図５】（ａ）は同ストロボ装置の要部斜視図、（ｂ）は同要部側面図
【図６】（ａ）は同照射角テレ１０５ｍｍ付近の状態を示すストロボ装置の全体斜視図、（ｂ）は同要部側面図
【図７】本発明の別の実施の形態に係る照射角２４ｍｍ付近（広角）のストロボ装置の全体斜視図
【図８】同照射角１７ｍｍ付近（超広角）のストロボ装置の全体斜視図
【符号の説明】
【００１８】
２  光源
３  反射傘
５，６  分割傘
７，８  側方反射板
９  補助反射板
【図１】
2007272028.tif 000003
【図２】
2007272028.tif 000004
【図３】
2007272028.tif 000005
【図４】
2007272028.tif 000006
【図５】
2007272028.tif 000007
【図６】
2007272028.tif 000008
【図７】
2007272028.tif 000009
【図８】
2007272028.tif 000010